(57)【要約】【課題】電子メールのメール本文と添付画像ファイルの印刷条件の設定を自由に変更することを可能とした印刷システムを提供する。【解決手段】ネットワークシステムは、スキャナ１０、ＰＣ３０、ＰＣ４０、携帯電話機５０、プリンタ８０等を備える。スキャナ１０、ＰＣ３０、ＰＣ４０、携帯電話機５０は、メール本文及び添付画像ファイルを有する電子メールに印刷条件の指定に基づくＰＤＬファイルを添付してインターネット６０経由でプリンタ８０に送信する。プリンタ８０は、受信した電子メールに添付されたＰＤＬファイルを解析し、メール本文及び添付画像ファイルの印刷条件（印刷用紙サイズ、モノクロ印刷／カラー印刷、印刷解像度など）の設定を行う。【選択図】      図１
2004342038.tif 000002
【特許請求の範囲】
【請求項１】
印刷指定装置と印刷装置とを備えた印刷システムであって、前記印刷指定装置は、印刷条件を指定する指定手段と、メール本文及び添付画像ファイルを有する電子メールに前記印刷条件の指定に基づく印刷設定情報を添付して送信する送信手段とを備え、
前記印刷装置は、前記印刷指定装置から送信された前記電子メールを受信する受信手段と、前記電子メールに添付された前記印刷設定情報に基づいて前記メール本文及び前記添付画像ファイルの印刷条件の設定を行う設定手段とを備えることを特徴とする印刷システム。
【発明の詳細な説明】
【０００１】
【発明の属する技術分野】
本発明は、外部から受信した電子メール（以下Ｅメールと略称）のメール本文と添付画像ファイルの印刷が可能な印刷装置を備えた印刷システムに関する。
【０００２】
【従来の技術】
従来、インターネットを介したファクシミリ通信が可能なファクシミリ装置として、Ｅメールを用いたインターネットファクシミリ（以下、インターネットＦＡＸと略称）装置が存在する。インターネットＦＡＸのＳｉｍｐｌｅ  Ｍｏｄｅと呼ばれる規格では、インターネットＦＡＸ装置から、印刷用紙サイズがＡ４、印刷解像度が２００ＤＰＩ（Ｄｏｔ  Ｐｅｒ  Ｉｎｃｈ）の画像データをプリンタに送信し、プリンタで画像データを受信することで画像を印刷出力することが可能である。更に、ファクシミリ専用装置以外の装置でも、例えば、インターネット経由によるＥメールの受信機能を備えたプリンタであれば、Ｅメールのメール本文と添付画像ファイルを印刷出力することが可能である。
【０００３】
ここで、インターネットＦＡＸのＳｉｍｐｌｅ  Ｍｏｄｅ規格とは、ＴＴＣ（社団法人  電信電話技術委員会）標準ＪＴ−Ｔ３７（「蓄積交換型のインターネットファクシミリデータ伝送手順」に関しての標準）に基づく規格である。
【０００４】
インターネットＦＡＸのＳｉｍｐｌｅ  Ｍｏｄｅ規格では、インターネットやイントラネットを利用したファクシミリの送受信が可能であり、電話回線を利用したファクシミリに比べ通信費の削減を実現し、ファクシミリと同等の簡単な操作で紙文書を電子化して、電子メールに添付してパーソナルコンピュータへ送信することができる。
【０００５】
また、従来、上述したインターネットＦＡＸに関する技術が提案されている（例えば、特許文献１参照）。
【０００６】
【特許文献１】
特開平０８−３０５５１８号公報
【０００７】
【発明が解決しようとする課題】
しかしながら、従来は、Ｅメールのメール本文や添付画像ファイルには、印刷用紙サイズの指定、モノクロ印刷かカラー印刷かの指定、印刷解像度の指定などの印刷条件を設定することが不可能であった。そのため、上述したＥメール受信機能を備えた従来のプリンタにおいては、プリンタ側に設定されている印刷設定に基づいて、外部から受信したＥメールのメール本文や添付画像ファイルの印刷処理が行われていた。
【０００８】
本発明の目的は、電子メールのメール本文と添付画像ファイルの印刷条件の設定を自由に変更することを可能とした印刷システムを提供することにある。
【０００９】
【課題を解決するための手段】
上述の目的を達成するため、本発明は、印刷指定装置と印刷装置とを備えた印刷システムであって、前記印刷指定装置は、印刷条件を指定する指定手段と、メール本文及び添付画像ファイルを有する電子メールに前記印刷条件の指定に基づく印刷設定情報を添付して送信する送信手段とを備え、前記印刷装置は、前記印刷指定装置から送信された前記電子メールを受信する受信手段と、前記電子メールに添付された前記印刷設定情報に基づいて前記メール本文及び前記添付画像ファイルの印刷条件の設定を行う設定手段とを備えることを特徴とする。
【００１０】
【発明の実施の形態】
以下、本発明の実施の形態を図面を参照しながら説明する。
【００１１】
［第１の実施の形態］
図１は、本発明の第１の実施の形態に係るＥメールの送受信が可能なネットワークシステムの構成例を示すブロック図である。
【００１２】
図１において、本ネットワークシステムは、スキャナ１０、ルータ１８、パーソナルコンピュータ（以下ＰＣと略称）（クライアント端末）１９、ＰＣ（メールサーバ）２０、ＰＣ３０、モデム３１、ＰＣ４０、データ通信用公衆電話機４１、携帯電話機５０、ルータ７１、ＰＣ（クライアント端末）７２、ＰＣ（メールサーバ）７３、プリンタ８０を備えている。図中、１７及び７０はＬＡＮ（Ｌｏｃａｌ  Ａｒｅａ  Ｎｅｔｗｏｒｋ）、６０はインターネット、６１は公衆回線である。
【００１３】
本実施の形態では、インターネット６０経由によるＥメールの受信機能を備えたプリンタ８０において、Ｅメールのメール本文と添付画像ファイルを印刷する場合の制御について説明する。
【００１４】
本ネットワークシステムにおいて、スキャナ１０、ＰＣ３０、ＰＣ４０、携帯電話機５０は、画像ファイルを添付したＥメールをインターネット６０を介してプリンタ８０に送信する機能を有する。また、携帯電話機５０のほかに、ＰＤＡ（Ｐｅｒｓｏｎａｌ  Ｄｉｇｉｔａｌ  Ａｓｓｉｓｔａｎｔ）、ＰＨＳ（Ｐｅｒｓｏｎａｌ  Ｈａｎｄｙｐｈｏｎｅ  Ｓｙｓｔｅｍ）から、ＩＳＤＮ（Ｉｎｔｅｇｒａｔｅｄ  Ｓｅｒｖｉｃｅ  Ｄｉｇｉｔａｌ  Ｎｅｔｗｏｒｋ）などの専用回線を介して、もしくは電話回線を介して、インターネットプロバイダにダイアルアップ接続し、インターネット６０を介してプリンタ８０にＥメールの送信を行うことも可能である。プリンタ８０は、インターネット６０を介してＥメールを受信する機能を有するネットワークプリンタとして構成されており、Ｅメールのメール本文と添付画像ファイルの印刷が可能である。
【００１５】
本ネットワークシステムの各部について以下詳述する。ＬＡＮ１７は、ルータ１８を介してインターネット６０に専用線で接続されている。ＬＡＮ１７には、スキャナ１０と、クライアント端末１９と、スキャナ１０やクライアント端末１９にＥメールサービスを提供するメールサーバ２０とが接続されている。ＬＡＮ７０は、ルータ７１を介してインターネット６０に専用線で接続されている。ＬＡＮ７０には、プリンタ８０と、クライアント端末７２と、プリンタ８０やクライアント端末７２にＥメールサービスを提供するメールサーバ７３とが接続されている。
【００１６】
本ネットワークシステムにおいては、ＴＣＰ／ＩＰ（Ｔｒａｎｓｍｉｓｓｉｏｎ  Ｃｏｎｔｒｏｌ  Ｐｒｏｔｏｃｏｌ／Ｉｎｔｅｒｎｅｔ  Ｐｒｏｔｏｃｏｌ）と呼ばれるトランスポートレイヤまでの伝送プロトコルと、ＳＭＴＰ（Ｓｉｍｐｌｅ  Ｍａｉｌ  Ｔｒａｎｓｆｅｒ  Ｐｒｏｔｏｃｏｌ）と呼ばれる上位レイヤの通信プロトコルとの組み合わせを使用することにより、Ｅメールの送受信が行われる。
【００１７】
インターネット６０は、Ｅメールの送受信媒体となる通信ネットワークである。ルータ１８は、インターネット６０とＬＡＮ１７を相互に接続するための装置である。ルータ７１は、インターネット６０とＬＡＮ７０を相互に接続するための装置である。公衆回線６１は、ＰＣ３０、ＰＣ４０、携帯電話機５０などから送信されたＥメールをインターネット６０に送出する回線である。
【００１８】
スキャナ１０（印刷指定装置）は、原稿から画像を読み取ると共にＥメールの送信が可能な画像読取装置であり、ＬＡＮ１７に接続されている。スキャナ１０は、ＣＰＵ１１（送信手段）、スキャナ部１２、操作部１３（指定手段）、ＲＯＭ１４、ＲＡＭ１５、イーサネット（Ｅｔｈｅｒｎｅｔ（登録商標））インターフェイス（以下インターフェイスと略称）１６（送信手段）を備えている。
【００１９】
ＣＰＵ１１は、スキャナ１０の各部を制御する中央処理装置である。スキャナ部１２は、該スキャナ部１２にセットされた原稿の画像を読み取り画像データに変換する。操作部１３は、スキャナ部１２に対しての動作指示やＥメールの送信宛先の入力を行うためのキーを備えたものである。操作部１３から入力された、印刷用紙サイズの指定、印刷方向が縦向きか横向きかの指定、印刷部数の指定、印刷レイアウトの指定、片面印刷か両面印刷かの指定、印刷用紙の排紙先の指定、モノクロ印刷かカラー印刷かの指定、印刷解像度の指定、印刷階調の指定等は、プリンタ８０を制御するためのページ記述言語（ＰＤＬ：Ｐａｇｅ  Ｄｅｓｃｒｉｐｔｉｏｎ  Ｌａｎｇｕａｇｅ）ファィルに変換され、該ＰＤＬファイルがＥメール本文と画像ファイルに添付されてプリンタ８０に送信される。
【００２０】
ＲＯＭ１４は、ＣＰＵ１１の制御、スキャナ部１２の制御、原稿から読み取った画像の画像ファィルをＥメールに添付して送信する制御、印刷設定を行うためのＰＤＬファィルをＥメールに添付して送信する制御などを実行するための制御プログラムが格納されているメモリである。ＲＡＭ１５は、上記制御プログラムのワークエリアとして使用されるメモリである。インターフェイス１６は、ＬＡＮ１７に接続するためのインターフェイスである。スキャナ１０から送信したＥメールは、インターフェイス１６からＬＡＮ１７を経由し、更にルータ１８を経由してインターネット６０上に送信される。
【００２１】
ＰＣ３０は、モデム３１を介して公衆回線６１に接続されており、モデム３１を介してＥメールの送信が可能である。ＰＣ３０から送信したＥメールは、モデム３１及び公衆回線６１を経由してインターネット６０上に送信される。ＰＣ４０は、データ通信用公衆電話機４１を介して公衆回線６１に接続されており、データ通信用公衆電話機４１を介してＥメールの送信が可能である。ＰＣ４０から送信したＥメールは、データ通信用公衆電話機４１及び公衆回線６１を経由してインターネット６０上に送信される。携帯電話機５０は、公衆回線６１に接続されており、Ｅメールの送信が可能である。携帯電話機５０から送信したＥメールは、公衆回線６１を経由してインターネット６０上に送信される。
【００２２】
クライアント端末１９は、ＬＡＮ１７に接続されており、ルータ１８を介してインターネット６０を経由したＥメールの送受信が可能なＰＣとして構成されている。メールサーバ２０は、スキャナ１０やクライアント端末１９にＥメールサービスを提供する。クライアント端末７２は、ＬＡＮ７０に接続されており、ルータ７１を介してインターネット６０を経由したＥメールの送受信が可能なＰＣとして構成されている。メールサーバ７３は、プリンタ８０やクライアント端末７２にＥメールサービスを提供する。
【００２３】
プリンタ８０（印刷装置）は、用紙に画像を印刷すると共にＥメールの受信が可能な印刷装置であり、ＬＡＮ７０に接続されている。プリンタ８０は、ＣＰＵ８１（受信手段、設定手段）、エンジン部８２、操作部８３、ＲＯＭ８４、ＲＡＭ８５、イーサネット（Ｅｔｈｅｒｎｅｔ（登録商標））インターフェイス（以下インターフェイスと略称）８６（受信手段）を備えている。
【００２４】
ＣＰＵ８１は、プリンタ８０の各部を制御する中央処理装置であり、ＲＯＭ８４に格納された制御プログラムに基づき図６及び図７のフローチャートに示す処理を実行する。エンジン部８２は、印刷媒体である用紙に画像を印刷すると共に画像が印刷された用紙を出力する印刷出力動作を行う。操作部８３は、プリンタ８０の印刷出力に関する各種設定（用紙サイズや印刷部数などの設定）や動作指示（印刷動作の開始などの指示）などを入力するためのキーを備えたものである。
【００２５】
ＲＯＭ８４は、ＣＰＵ８１の制御、エンジン部８２の制御、外部から受信したＥメールに添付されたＰＤＬファイルを解析し印刷設定を行う制御、Ｅメールのメール本文と添付画像ファイルを印刷する制御などを実行するための制御プログラムが格納されているメモリである。ＲＡＭ８５は、上記制御プログラムのワークエリアとして使用されるメモリである。
【００２６】
インターフェイス８６は、ＬＡＮ７０に接続するためのインターフェイスである。プリンタ８０においては、インターネット６０及びルータ７１を介して送信されてきたＥメールをインターフェイス８６を介して入力し、ＲＯＭ８４に格納された制御プログラムに基づいて、エンジン部８２によりＥメールのメール本文と添付画像ファイルを印刷する印刷出力を行う。
【００２７】
次に、上記プリンタ８０の構成を詳述する。本実施の形態では、プリンタ８０を例えば電子写真方式により印刷を行うレーザビームプリンタ（ＬＢＰ）として構成した場合を説明する。
【００２８】
図２は、プリンタ８０の構成例を示す構成図である。
【００２９】
図２において、プリンタ８０は、筐体の各部に、操作部８３、プリンタ制御ユニット１００１、レーザドライバ１００２、半導体レーザ１００３、回転多面鏡１００５、静電ドラム１００６、現像ユニット１００７、用紙カセット１００８、給紙ローラ１００９、搬送ローラ１０１０、１０１１、反射ミラー１０１２、排紙トレイ１０１３を備えている。図中、Ｐは記録媒体である用紙である。
【００３０】
プリンタ８０は、インターフェイス８６を介して受信したＥメールを構成するメール本文や添付画像ファイルや添付ＰＤＬファイル、或いは、例えばＬＡＮ７０に接続されているＰＣ（クライアント端末７２）から入力されたＰＤＬデータに従って、用紙に画像を形成する。プリンタ制御ユニット１００１は、プリンタ全体の制御、Ｅメールの添付ＰＤＬファイルの解析、ＰＤＬデータの解析、画像イメージの生成などを行うユニットであり、ＣＰＵ８１、ＲＯＭ８４、ＲＡＭ８５、インターフェイス８６（以上、図１参照）を備えている。操作部８３は、上述した各種設定や動作指示の入力の他に、プリンタ制御ユニット１００１の設定を変更する場合にも用いられる。
【００３１】
ここで、上記Ｅメールに含まれる添付ＰＤＬファイルは、本実施の形態の特徴である印刷条件の設定（後述）を行うためのページ記述言語ファイルであり、上記ＰＤＬデータは、一般にページプリンタに印刷を実行させる際に用いられる、印刷イメージを指示するためのページ記述言語データである。
【００３２】
レーザドライバ１００２、半導体レーザ１００３、回転多面鏡１００５、静電ドラム１００６、現像ユニット１００７、用紙カセット１００８、給紙ローラ１００９、搬送ローラ１０１０、１０１１等が、図１に示したエンジン部８２に相当する。プリンタ制御ユニット１００１は、生成した画像イメージをビデオ信号に変換してレーザドライバ１００２に出力する。レーザドライバ１００２は、半導体レーザ１００３を駆動するための回路であり、プリンタ制御ユニット１００１から入力されたビデオ信号に応じて半導体レーザ１００３から発射されるレーザ光１００４のオン／オフの切り換えを行う。
【００３３】
半導体レーザ１００３から発射されたレーザ光１００４は、回転多面鏡１００５により左右方向（図１の紙面と直交する方向）に振らされ、更に反射ミラー１０１２により反射され、静電ドラム１００６上を走査露光する。これにより、静電ドラム１００６上には印刷出力画像に対応した静電潜像が形成されることになる。この静電潜像は、静電ドラム１００６の外周側に配設されている現像ユニット１００７により現像された後、用紙Ｐに転写される。用紙Ｐにはカットシートが用いられる。
【００３４】
用紙Ｐはプリンタ８０の筐体に装着された用紙カセット１００８に収納されている。用紙カセット１００８に収納されている用紙Ｐは、給紙ローラ１００９により１枚ずつ給紙され、搬送ローラ１０１０、１０１１によりプリンタ内部に取り込まれて静電ドラム１００６と対向する転写位置に供給される。該転写位置において画像が転写された用紙Ｐは、画像の定着が行われた後、排紙トレイ１０１３に排出される。尚、定着動作については省略する。
【００３５】
次に、例えば、スキャナ１０、ＰＣ３０、ＰＣ４０、携帯電話機５０（以上、印刷指定装置）から送信される、メール本文及び画像ファイルからなるＥメールの構成例を図３を用いて説明する。
【００３６】
図３は、メール本文に画像ファイルを添付したＥメールの構成例を示す図である。
【００３７】
図３において、Ｅメールは、基本的に、Ｅメールの先頭部分である各種情報が記述されたメールヘッダ１００と、Ｅメールの本文であるメール本文１０１と、Ｅメールに添付された画像ファイルである添付画像ファイル１０２及び添付画像ファイル１０３とから構成される。
【００３８】
メールヘッダ１００は、本例では、送信日時情報を設定する“Ｄａｔｅ”フィールド、Ｅメールを識別するために送信日付、時刻、機器のメールアドレスより生成された固有のＩＤを設定する“Ｍｅｓｓａｇｅ”フィールド、送信者のメールアドレスを設定する“Ｆｒｏｍ”フィールド、受信者のメールアドレスを設定する“Ｔｏ”フィールド、そして、メール表題を設定する“Ｓｕｂｊｅｃｔ”フィールドから構成されている。
【００３９】
図３の場合、メールの送信日時は“Ｆｒｉ，  ０７  Ｊｕｌ  ２０００  １２：００：００”、Ｅメールを識別するためのＩＤは“＜２００００７０７１２００００＠ｐｏｐ．ｘｙｚ．ｃｏ．ｊｐ＞”、送信者のメールアドレスは“ｔｒａｎｓｍｉｔ＠ｘｙｚ．ｃｏ．ｊｐ”、受信者のメールアドレスは“ｒｅｃｅｉｖｅ＠ｘｙｚ．ｃｏ．ｊｐ”、メール表題は“Ｅｍａｉｌ  ｆｒｏｍ  Ｓｃａｎｎｅｒ  ｔｏ  Ｐｒｉｎｔｅｒ”である。
【００４０】
また、Ｅメールは、７ビットコードの読取可能な情報でなければならないため、添付画像ファイル１０２、１０３がバイナリデータであれは、そのまま送信することができない。そこで、メール本文１０１及び添付画像ファイル１０２、１０３は、ＭＩＭＥ（Ｍｕｌｔｉｐｕｒｐｏｓｅ  Ｉｎｔｅｒｎｅｔ  Ｍａｉｌ  Ｅｘｔｅｎｓｉｏｎｓ）形式にデータ変換して送信される。
【００４１】
図３の場合、メールヘッダ１００の“ＭＩＭＥ−Ｖｅｒｓｉｏｎ”フィールドによりＭＩＭＥのバージョンを設定し、メール本文１０１及び添付画像ファイル１０２、１０３の“Ｃｏｎｔｅｎｔ−Ｔｙｐｅ”フィールドにより各データの属性を設定し、“Ｃｏｎｔｅｎｔ−Ｔｒａｎｓｆｅｒ−Ｅｎｃｏｄｉｎｇ”フィールドにより各データの符号化方式を設定している。
【００４２】
メール本文１０１は、本例では、“ＩＳＯ−２０２２−ＪＰ”の言語体系のテキストデータにより構成されている。
【００４３】
添付画像ファイル１０２は、本例では、“ｂａｓｅ６４”と呼ばれる符号化方式のＪＰＥＧ（Ｊｏｉｎｔ  Ｐｈｏｔｏｇｒａｐｈｉｃ  Ｅｘｐｅｒｔｓ  Ｇｒｏｕｐ）形式の画像データにより構成されている。
【００４４】
添付画像ファイル１０３は、本例では、“ｂａｓｅ６４”と呼ばれる符号化方式のＴＩＦＦ（Ｔａｇｇｅｄ  Ｉｍａｇｅ  Ｆｉｌｅ  Ｆｏｒｍａｔ）形式の画像データにより構成されている。
【００４５】
ＴＩＦＦ形式とは、インターネットＦＡＸで用いられている形式であり、インターネットＦＡＸのＳｉｍｐｌｅ  Ｍｏｄｅでは、添付画像ファイルは、ＭＨ（Ｍｏｄｉｆｉｅｄ  Ｈｕｆｆｍａｎ）符号化方式で符号化された、印刷用紙サイズがＡ４サイズ、印刷解像度が２００ＤＰＩの画像データによって構成されている。
【００４６】
尚、本実施の形態では、Ｅメールに２つの添付画像ファイル１０２、１０３を添付しているが、Ｅメールに添付する添付画像ファイルの数や添付画像ファイルの圧縮形式は特に限定するものではない。例えば、ＪＰＥＧ形式やＴＩＦＦ形式などの画像ファイルの他にも、ＰＤＦ（Ｐｏｒｔａｂｌｅ  Ｄｏｃｕｍｅｎｔ  Ｆｏｒｍａｔ）ファィルをＥメールに添付し、プリンタ８０に送信して印刷してもよいものとする。また、本実施の形態では、ＪＰＥＧ形式、ＴＩＦＦ形式、ＭＨ符号化、ｂａｓｅ６４符号化における各フォーマットの詳細については省略する。
【００４７】
図４は、上記図３に示したＥメールのメール本文と添付画像ファイルの印刷例を示す図である。
【００４８】
図４において、メール本文４０１を１ページ目に印刷し、２ページ目以降に添付画像ファイル４０２、添付画像ファイル４０３を１画像ずつ印刷している。図４の４０１〜４０３は、上記図３の１０１〜１０３にそれぞれ対応した印刷画像である。
【００４９】
次に、画像ファイルとＰＤＬファイルを添付して送信されるＥメールの構成例を図５を用いて説明する。
【００５０】
図５は、メール本文に画像ファイル及びＰＤＬファイルを添付したＥメールの構成例を示す図である。
【００５１】
図５において、Ｅメールは、Ｅメールの先頭部分である各種情報が記述されたメールヘッダ１００と、Ｅメールの本文であるメール本文１０１と、Ｅメールに添付された画像ファイルである添付画像ファイル１０２と、Ｅメールに添付されたＰＤＬファイルである添付ＰＤＬファイル１０４とから構成される。図５に示すＥメールが、上記図３に示すＥメールと異なる点は、メール本文と画像ファイルの印刷条件を設定するためのＰＤＬファイルを添付した点である。
【００５２】
添付ＰＤＬファイル１０４は、プリンタ８０を制御するためのＰＤＬコマンドにより構成されている。プリンタ８０は、ＭＩＭＥの“Ｃｏｎｔｅｎｔ−Ｔｙｐｅ”フィールドのデータ属性から、Ｅメールのメール本文に添付されたデータがＰＤＬファィルであることを認識し、ＰＤＬファイルの解析を行い、メール本文や添付画像ファイルの印刷条件の設定を行う。尚、ＰＤＬファイル１０４は、画像ファイルと同様に“Ｃｏｎｔｅｎｔ−Ｔｒａｎｓｆｅｒ−Ｅｎｃｏｄｉｎｇ”フィールドにより指定された符号化方式により符号化されているものとする。
【００５３】
次に、スキャナ１０により原稿から読み取った画像の画像ファイルをメール本文に添付したＥメールをプリンタ８０に送信し、プリンタ８０によりＥメールを受信してメール本文と画像ファイルを用紙に印刷し出力するまでの動作を図１を用いて説明する。
【００５４】
まず、操作者がスキャナ１０のスキャナ部１２に送信対象の原稿をセットし、操作部１３の所定キーを使用して、Ｅメールの送信先（送信メールアドレス）の指定、印刷用紙サイズの指定、印刷方向が縦向きか横向きかの指定、印刷部数の指定、印刷レイアウトの指定、片面印刷か両面印刷かの指定、印刷用紙の排紙先の指定、モノクロ印刷かカラー印刷かの指定、印刷解像度の指定、印刷階調の指定、等を行う。
【００５５】
次に、操作者が操作部１３の実行キーを押下すると、スキャナ部１２により原稿が読み取られる。ＣＰＵ１１とＲＯＭ１４内の制御プログラムにより、原稿から読み取られた画像がＥメールの添付画像ファイルに変換され、操作部１３からの上記指定に対応した情報がＥメールの添付ＰＤＬファィルに変換される。
【００５６】
更に、ＣＰＵ１１とＲＯＭ１４内の制御プログラムにより、添付画像ファイルと添付ＰＤＬファィルは、上記指定された送信メールアドレスを宛先としたＥメールのメール本文に添付される。Ｅメールは、ＳＭＴＰのプロトコルを使用してスキャナ１０のインターフェイス１６からＬＡＮ１７に送出され、ルータ１８からインターネット６０を経由し、更にルータ７１からＬＡＮ７０を経由してプリンタ８０に送信される。
【００５７】
プリンタ８０は、ＳＭＴＰのプロトコルを使用してインターフェイス８６を介して、上記スキャナ１０から送信されてきたＥメールの受信を行う。プリンタ８０のＣＰＵ８１とＲＯＭ８４内の制御プログラムは、インターフェイス８６を介してＥメールを受信すると、Ｅメールのメール本文、添付画像ファィル、添付ＰＤＬファィルを検出し、テキストデータと画像データに変換してエンジン部８２に出力し、エンジン部８２において印刷処理を行う。尚、添付画像ファイルは、上述した符号化方式に従ってスキャナ１０において符号化され、プリンタ８０において復号化されることで印刷される。
【００５８】
他方、例えば、ＰＣ３０、ＰＣ４０、携帯電話機５０の何れかからＥメールをプリンタ８０に送信する場合は、それぞれの機器が内蔵しているＥメールの送受信が可能なソフトウェアを使用して行われる。ソフトウェアの詳細説明は省略するが、ソフトウェアは、操作者がＥメールの送信先（送信メールアドレス）の入力とメール本文の入力を行い、メール本文に画像ファイルとＰＤＬファィルを添付することで、Ｅメールの送信を可能とするものである。
【００５９】
次に、プリンタ８０が、例えば、スキャナ１０、ＰＣ３０、ＰＣ４０、携帯電話機５０の何れかから受信したＥメールのメール本文と画像ファイルを用紙に印刷する印刷処理を図６を用いて説明する。
【００６０】
図６は、プリンタ８０におけるＰＤＬデータの印刷処理及びＥメールの印刷処理を示すフローチャートである。本フローチャートに示す処理は、プリンタ８０のＣＰＵ８１がＲＯＭ８４に格納された制御プログラムに基づき実行する。
【００６１】
ここで、プリンタ８０は、受信したＥメールの印刷以外にも、ＬＡＮ７０に接続されているＰＣ（クライアント端末）７２から送信されるページ記述言語（ＰＤＬ）データの印刷も可能であるとするが、ＰＤＬについては周知であり且つＰＤＬデータの印刷処理自体に特徴があるものではないので、本実施の形態ではその処理の詳細説明は省略する。
【００６２】
図６において、プリンタ８０がインターフェイス１６を介して外部からＥメール或いはＰＤＬデータを入力（受信）すると、データ入力待ち状態（ステップＳ２０１）を終了し、ＣＰＵ８１は入力されたデータがＥメールであるかＰＤＬデータであるかの判断を行う（ステップＳ２０２）。ステップＳ２０２において入力データがＰＤＬデータであると判断した場合、ＣＰＵ８１はＰＤＬデータの解析を行った後（ステップＳ２０３）、印刷が完了した用紙をプリンタ外部へ排紙する排紙命令がＰＤＬデータに存在すると判断するまでの間（ステップＳ２０５でＹｅｓ）、ＰＤＬデータに記述された各命令に従って画像イメージの生成処理（描画処理）を行う（ステップＳ２０４）。
【００６３】
上記ステップＳ２０５において排紙命令がＰＤＬデータに存在すると判断した場合、ＣＰＵ８１は上記描画処理によりＲＡＭ８５上に生成した画像イメージをビデオ信号に変換し（ステップＳ２０６）、ビデオ信号をエンジン部８２に転送することで、エンジン部８２により用紙に印刷を行い（ステップＳ２０７）、印刷が完了した用紙をプリンタ外部へ排紙する（ステップＳ２０８）。その後、上記ステップＳ２０１に戻り、データ入力待ち状態となる。
【００６４】
一方、上記ステップＳ２０２において入力データがＥメールであると判断した場合、ＣＰＵ８１はエンジン部８２によりＥメールの印刷処理を行う（ステップＳ２１０）。その後、上記ステップＳ２０１に戻り、データ入力待ち状態となる。
【００６５】
次に、上記図６のステップＳ２１０に示したＥメールの印刷処理の詳細を図７を用いて説明する。
【００６６】
図７は、Ｅメールの印刷処理の詳細を示すフローチャートである。
【００６７】
図７において、ステップＳ２１１の処理からステップＳ２１４の処理までを繰り返すことにより、外部から受信したＥメールに含まれるＭＩＭＥ形式の全データの解析を行い、Ｅメールのメール本文にＰＤＬファイルが添付されているか否かの判別を行い、ＰＤＬファイルが添付されている場合には印刷設定（印刷条件の設定）を行う。その後、ステップＳ２１５の処理からステップＳ２２２の処理を繰り返すことにより、Ｅメールのメール本文と添付画像ファイルの印刷を行う。
【００６８】
まず、ＣＰＵ８１は外部から受信したＥメールに含まれるＭＩＭＥ形式の全データの解析が終了したか否かを判定する（ステップＳ２１１）。ステップＳ２１１で未解析のＭＩＭＥ形式のデータが存在すると判断した場合には、ＣＰＵ８１は未解析のＭＩＭＥ形式のデータの解析を行い（ステップＳ２１２）、該ＭＩＭＥ解析したデータが、メール本文や添付画像ファイルであるか、または添付ＰＤＬファイルであるかを判定する（ステップＳ２１３）。
【００６９】
ステップＳ２１３で上記ＭＩＭＥ解析したデータがメール本文や添付画像ファイルであると判断した場合には、上記ステップＳ２１１に戻り、ＣＰＵ８１はＭＩＭＥ形式のデータの解析を継続する。一方、ステップＳ２１３で上記ＭＩＭＥ解析したデータが添付ＰＤＬファイルであると判断した場合には、ＣＰＵ８１は添付ＰＤＬファイル中の各設定コマンドを解析して、各設定コマンドに基づく設定をメール本文や添付画像ファイルの印刷に反映させるべくプリンタ８０の印刷条件の設定を行う（ステップＳ２１４）。
【００７０】
尚、ここでの印刷条件の設定とは、印刷用紙サイズの設定、印刷方向の設定、印刷部数の設定、印刷レイアウトの設定、片面印刷または両面印刷の設定、印刷用紙の排紙先の設定、モノクロ印刷またはカラー印刷の設定、印刷解像度の設定、印刷階調の設定、等であるが、印刷条件の設定項目としては、ＰＤＬで定義されている設定項目であれは上記以外でも良いものとする。
【００７１】
上記ステップＳ２１１でＭＩＭＥ形式の全データの解析が終了したと判断した場合には、ステップＳ２１５以下でＭＩＭＥ形式の全データの解析が終了するまで印刷処理を実行する。まず、ＣＰＵ８１はＭＩＭＥ形式のデータの解析を行い（ステップＳ２１６）、該ＭＩＭＥ解析したデータが、メール本文や添付画像ファイルであるか、または添付ＰＤＬファイルであるかを判定する（ステップＳ２１７）。
【００７２】
ステップＳ２１７で上記ＭＩＭＥ解析したデータが添付ＰＤＬファイルであると判断した場合には、上記ステップＳ２１５に戻る。一方、ステップＳ２１７で上記ＭＩＭＥ解析したデータがメール本文や添付画像ファイルであると判断した場合には、ＣＰＵ８１はＭＩＭＥ形式における符号化方式を判断することで、符号化されたメール本文の符号復元化（復号化）を行い（ステップＳ２１８）、ＲＡＭ８５上に画像イメージの生成処理（描画処理）を行う（ステップＳ２１９）。
【００７３】
更に、ＣＰＵ８１は上記描画処理で生成した画像イメージをビデオ信号に変換し（ステップＳ２２０）、ビデオ信号をエンジン部８２に転送することで、エンジン部８２により用紙に印刷を行い（ステップＳ２２１）、印刷が完了した用紙をプリンタ外部へ排紙する（ステップＳ２２２）。その後、上記ステップＳ２１５に戻り、引き続きＭＩＭＥ形式のデータの解析を継続する。
【００７４】
以上説明したように、本実施の形態によれば、例えばスキャナ１０、ＰＣ３０、ＰＣ４０、携帯電話機５０の何れかから、Ｅメールのメール本文や添付画像ファイルを印刷する際の印刷条件の設定を行うためのＰＤＬファイルを、メール本文及び添付画像ファイルを有するＥメールに添付し、該Ｅメールをプリンタ８０に送信し、プリンタ８０において受信したＥメールに添付されたＰＤＬファイルを解析する。これにより、プリンタ８０において、印刷条件の設定（印刷用紙サイズの設定、印刷方向の設定、印刷部数の設定、印刷レイアウトの設定、片面印刷または両面印刷の設定、印刷用紙の排紙先の設定、モノクロ印刷またはカラー印刷の設定、印刷解像度の設定、印刷階調の設定等）を行うことが可能となり、メール本文と添付画像ファイルの印刷条件の設定を自由に変更することが可能となる。
【００７５】
［第２の実施の形態］
次に、本発明の第２の実施の形態を説明する。
【００７６】
本実施の形態に係るＥメールの送受信が可能なネットワークシステムの構成例（図１参照）、プリンタ８０の構成例（図２参照）は、第１の実施の形態と同様であるため説明を省略する。
【００７７】
第１の実施の形態では、印刷条件を設定するためのＰＤＬファイルを、メール本文や添付画像ファイルと共に同一のＥメールに添付してプリンタ８０に送信する場合について説明したが、本実施の形態では、印刷条件を設定するためのＰＤＬファイルのみをＥメールに添付してプリンタ８０に送信し、プリンタ８０の印刷条件の設定値のみを変更する場合について説明する。
【００７８】
図８は、メール本文にＰＤＬファイルのみを添付したＥメールの構成例を示す図である。
【００７９】
図８において、Ｅメールは、Ｅメールの先頭部分である各種情報が記述されたメールヘッダ１００と、Ｅメールに添付されたＰＤＬファイルである添付ＰＤＬファイル１０４とから構成される。即ち、Ｅメール中にメール本文及び画像ファイルが添付されておらず、ＰＤＬファイルのみ添付されている。従って、プリンタ８０がＥメールを受信した場合、プリンタ８０では印刷処理が行われずに印刷条件の設定のみが行われる。
【００８０】
以上説明したように、本実施の形態によれば、例えばスキャナ１０、ＰＣ３０、ＰＣ４０、携帯電話機５０の何れかから、Ｅメールのメール本文や添付画像ファイルを印刷する際の印刷条件の設定を行うためのＰＤＬファイルのみをＥメールに添付し、該Ｅメールをプリンタ８０に送信し、プリンタ８０において受信したＥメールに添付されたＰＤＬファイルを解析する。これにより、プリンタ８０において、印刷条件の設定（印刷用紙サイズの設定、印刷方向の設定、印刷部数の設定、印刷レイアウトの設定、片面印刷または両面印刷の設定、印刷用紙の排紙先の設定、モノクロ印刷またはカラー印刷の設定、印刷解像度の設定、印刷階調の設定等）を行うことが可能となり、メール本文と添付画像ファイルの印刷条件の設定を自由に変更することが可能となる。
【００８１】
尚、上記実施の形態では、スキャナ１０、ＰＣ３０、ＰＣ４０、携帯電話機５０の何れかから、ＰＤＬファイルを添付したＥメールをプリンタ８０に送信する場合を例に挙げたが、本発明はこれに限定されるものではなく、これら以外の機器、例えば携帯情報端末（ＰＤＡ）などの機器から、ＰＤＬファイルを添付したＥメールをプリンタ８０に送信することも可能である。
【００８２】
また、上記実施の形態では、プリンタ８０をレーザビームプリンタとした場合を例に挙げたが、本発明はこれに限定されるものではなく、インクジェットプリンタ、昇華プリンタ、銀塩プリンタ等の、他の印刷方式によるプリンタを用いてもよい。
【００８３】
また、上記実施の形態では、印刷装置をプリンタとした場合を例に挙げたが、本発明はこれに限定されるものではなく、複写機や複合機に適用してもよい。
【００８４】
本発明は、上述した実施の形態の機能を実現するソフトウェアのプログラム（図６及び図７のフローチャート）をコンピュータ又はＣＰＵに供給し、そのコンピュータ又はＣＰＵが該供給されたプログラムを読出して実行することによって、達成することができる。
【００８５】
この場合、上記プログラムは、該プログラムを記録した記憶媒体から直接供給されるか、又はインターネット、商用ネットワーク、若しくはローカルエリアネットワーク等に接続される不図示の他のコンピュータやデータベース等からダウンロードすることにより供給される。
【００８６】
上記プログラムの形態は、オブジェクトコード、インタプリタにより実行されるプログラムコード、ＯＳ（オペレーティングシステム）に供給されるスクリプトデータ等の形態から成ってもよい。
【００８７】
また、本発明は、上述した実施の形態の機能を実現するソフトウェアのプログラムを記憶した記憶媒体をコンピュータ又はＣＰＵに供給し、そのコンピュータ又はＣＰＵが記憶媒体に記憶されたプログラムを読出して実行することによっても、達成することができる。
【００８８】
この場合、格納媒体から読出されたプログラムコード自体が上述した各実施の形態の機能を実現すると共に、そのプログラムコードを記憶した記憶媒体は本発明を構成する。
【００８９】
プログラムコードを記憶する記憶媒体としては、例えば、ＲＯＭ、ＲＡＭ、ＮＶ−ＲＡＭ、フロッピー（登録商標）ディスク、ハードディスク、光ディスク（登録商標）、光磁気ディスク、ＣＤ−ＲＯＭ、ＭＯ、ＣＤ−Ｒ、ＣＤ−ＲＷ、ＤＶＤ−ＲＯＭ、ＤＶＤ−ＲＡＭ、ＤＶＤ−ＲＷ、ＤＶＤ＋ＲＷ、磁気テープ、不揮発性のメモリカード等がある。
【００９０】
上述した実施の形態の機能は、コンピュータから読出されたプログラムコードを実行することによるばかりでなく、コンピュータ上で稼動するＯＳ等がプログラムコードの指示に基づいて実際の処理の一部又は全部を行うことによっても実現することができる。
【００９１】
更に、本発明は、前述した実施の形態を実現するソフトウェアのプログラムがネットワーク上のデータベース又はホームページから通信プログラムによりダウンロードされ、このプログラムを読出して実行することによって達成することができる。
【００９２】
上記プログラムは、クライアントコンピュータのブラウザを用いてインターネットのホームページに接続し、該ホームページからコンピュータプログラム自体、又は自動インストール機能を含む圧縮ファイルをハードディスク等の記憶媒体にダウンロードすることによっても供給することができる。
【００９３】
また、上記プログラムは、プログラムコードを暗号化した上で格納したＣＤ−ＲＯＭ等の記憶媒体をユーザに配布し、所定の条件をクリアしたユーザに対し、インターネットを介してホームページから暗号化を解く鍵情報をダウンロードさせ、その鍵情報を使用することにより暗号化されたプログラムコードを実行してコンピュータにインストールさせることによっても供給することができる。
【００９４】
上述した実施の形態の機能は、プログラムコードを複数のファイルに分割し、夫々のファイルを異なるホームページからダウンロードすることによっても実現することができる。即ち、本発明の機能処理をコンピュータで実現させるためのプログラムファイルを複数のユーザに対してダウンロードさせるＷＷＷサーバも、本発明を構成する。
【００９５】
また、上述した実施の形態の機能は、記憶媒体から読出されたプログラムが、コンピュータに挿入された機能拡張ボード又はコンピュータに接続された機能拡張ユニットに備えられたメモリに書込まれた後、そのプログラムの指示に基づき、その機能拡張ボード又は機能拡張ユニットに備えられたＣＰＵ又はＭＰＵ等が実際の処理の一部又は全部を実行することによっても実現することができる。
【００９６】
本発明の実施態様の例を以下に列挙する。
【００９７】
〔実施態様１〕  印刷指定装置と印刷装置とを備えた印刷システムであって、
前記印刷指定装置は、印刷条件を指定する指定手段と、メール本文及び添付画像ファイルを有する電子メールに前記印刷条件の指定に基づく印刷設定情報を添付して送信する送信手段とを備え、
前記印刷装置は、前記印刷指定装置から送信された前記電子メールを受信する受信手段と、前記電子メールに添付された前記印刷設定情報に基づいて前記メール本文及び前記添付画像ファイルの印刷条件の設定を行う設定手段とを備えることを特徴とする印刷システム。
【００９８】
〔実施態様２〕  前記印刷設定情報は、ページ記述言語で定義された情報であることを特徴とする実施態様１記載の印刷システム。
【００９９】
〔実施態様３〕  前記印刷条件は、少なくとも、印刷用紙サイズ、印刷方向、印刷部数、印刷レイアウト、片面印刷または両面印刷、印刷用紙の排紙先、モノクロ印刷またはカラー印刷、印刷解像度、印刷階調の何れかを含むことを特徴とする実施態様１記載の印刷システム。
【０１００】
〔実施態様４〕  前記印刷指定装置は、画像読取装置、情報処理装置、携帯電話機、及び携帯情報端末を含む群から選択される装置であることを特徴とする実施態様１記載の印刷システム。
【０１０１】
〔実施態様５〕  印刷指定装置と印刷装置とを備えた印刷システムであって、前記印刷指定装置は、印刷条件を指定する指定手段と、電子メールに前記印刷条件の指定に基づく印刷設定情報のみを添付して送信する送信手段とを備え、
前記印刷装置は、前記印刷指定装置から送信された前記電子メールを受信する受信手段と、前記電子メールに添付された前記印刷設定情報に基づいて印刷条件の設定を行う設定手段とを備えることを特徴とする印刷システム。
【０１０２】
〔実施態様６〕  前記印刷設定情報は、ページ記述言語で定義された情報であることを特徴とする実施態様５記載の印刷システム。
【０１０３】
〔実施態様７〕  前記印刷条件は、少なくとも、印刷用紙サイズ、印刷方向、印刷部数、印刷レイアウト、片面印刷または両面印刷、印刷用紙の排紙先、モノクロ印刷またはカラー印刷、印刷解像度、印刷階調の何れかを含むことを特徴とする実施態様５記載の印刷システム。
【０１０４】
〔実施態様８〕  前記印刷指定装置は、画像読取装置、情報処理装置、携帯電話機、及び携帯情報端末を含む群から選択される装置であることを特徴とする実施態様５記載の印刷システム。
【０１０５】
〔実施態様９〕  印刷装置と通信可能な印刷指定装置であって、
印刷条件を指定する指定手段と、メール本文及び添付画像ファイルを有する電子メールに前記印刷条件の指定に基づく印刷設定情報を添付して前記印刷装置に送信する送信手段とを備えることを特徴とする印刷指定装置。
【０１０６】
〔実施態様１０〕  印刷装置と通信可能な印刷指定装置であって、
印刷条件を指定する指定手段と、電子メールに前記印刷条件の指定に基づく印刷設定情報のみを添付して送信する送信手段とを備えることを特徴とする印刷指定装置。
【０１０７】
〔実施態様１１〕  印刷指定装置と通信可能な印刷装置であって、
前記印刷指定装置から、メール本文及び添付画像ファイルに印刷条件の指定に基づく印刷設定情報が添付された電子メールを受信する受信手段と、前記電子メールに添付された前記印刷設定情報に基づいて前記メール本文及び前記添付画像ファイルの印刷条件の設定を行う設定手段とを備えることを特徴とする印刷装置。
【０１０８】
〔実施態様１２〕  印刷指定装置と通信可能な印刷装置であって、
前記印刷指定装置から、印刷条件の指定に基づく印刷設定情報のみが添付された電子メールを受信する受信手段と、前記電子メールに添付された前記印刷設定情報に基づいて印刷条件の設定を行う設定手段とを備えることを特徴とする印刷装置。
【０１０９】
〔実施態様１３〕  印刷指定装置と印刷装置とを備えた印刷システムにより実行される印刷条件設定方法であって、
前記印刷指定装置において印刷条件を指定する指定ステップと、前記印刷指定装置においてメール本文及び添付画像ファイルを有する電子メールに前記印刷条件の指定に基づく印刷設定情報を添付して送信する送信ステップと、前記印刷装置において前記印刷指定装置から送信された前記電子メールを受信する受信ステップと、前記印刷装置において前記電子メールに添付された前記印刷設定情報に基づいて前記メール本文及び前記添付画像ファイルの印刷条件の設定を行う設定ステップとを備えることを特徴とする印刷条件設定方法。
【０１１０】
〔実施態様１４〕  印刷指定装置と印刷装置とを備えた印刷システムにより実行される印刷条件設定方法であって、
前記印刷指定装置において印刷条件を指定する指定ステップと、前記印刷指定装置において電子メールに前記印刷条件の指定に基づく印刷設定情報のみを添付して送信する送信ステップと、前記印刷装置において前記印刷指定装置から送信された前記電子メールを受信する受信ステップと、前記印刷装置において前記電子メールに添付された前記印刷設定情報に基づいて印刷条件の設定を行う設定ステップとを備えることを特徴とする印刷条件設定方法。
【０１１１】
〔実施態様１５〕  印刷指定装置と印刷装置とを備えた印刷システムの印刷条件設定方法をコンピュータに実行させるプログラムであって、
前記印刷指定装置において印刷条件を指定する指定モジュールと、前記印刷指定装置においてメール本文及び添付画像ファイルを有する電子メールに前記印刷条件の指定に基づく印刷設定情報を添付して送信する送信モジュールと、前記印刷装置において前記印刷指定装置から送信された前記電子メールを受信する受信モジュールと、前記印刷装置において前記電子メールに添付された前記印刷設定情報に基づいて前記メール本文及び前記添付画像ファイルの印刷条件の設定を行う設定モジュールとを備えることを特徴とするプログラム。
【０１１２】
〔実施態様１６〕  印刷指定装置と印刷装置とを備えた印刷システムの印刷条件設定方法をコンピュータに実行させるプログラムであって、
前記印刷指定装置において印刷条件を指定する指定モジュールと、前記印刷指定装置において電子メールに前記印刷条件の指定に基づく印刷設定情報のみを添付して送信する送信モジュールと、前記印刷装置において前記印刷指定装置から送信された前記電子メールを受信する受信モジュールと、前記印刷装置において前記電子メールに添付された前記印刷設定情報に基づいて印刷条件の設定を行う設定モジュールとを備えることを特徴とするプログラム。
【０１１３】
〔実施態様１７〕  前記実施態様１５又は１６記載のプログラムを格納することを特徴とするコンピュータ読み取り可能な記憶媒体。
【０１１４】
【発明の効果】
以上詳細に説明したように、本発明によれば、印刷指定装置が、メール本文及び添付画像ファイルを有する電子メールに印刷条件の指定に基づく印刷設定情報を添付して送信し、印刷装置が、印刷指定装置から送信された電子メールに添付された印刷設定情報に基づいてメール本文及び添付画像ファイルの印刷条件の設定を行うので、印刷装置において電子メールのメール本文や添付画像ファイルを印刷する際に、メール本文と添付画像ファイルの印刷条件の設定、例えば印刷用紙サイズ、モノクロ印刷／カラー印刷、印刷解像度などの設定を自由に変更することが可能となる。
【図面の簡単な説明】
【図１】本発明の第１の実施の形態に係るＥメールの送受信が可能なネットワークシステムの構成例を示すブロック図である。
【図２】プリンタの構成例を示す構成図である。
【図３】メール本文に画像ファイルを添付したＥメールの構成例を示す図である。
【図４】Ｅメールのメール本文と添付画像ファイルの印刷例を示す図である。
【図５】メール本文に画像ファイルとＰＤＬファイルを添付したＥメールの構成例を示す図である。
【図６】プリンタにおけるＰＤＬデータの印刷処理及びＥメールの印刷処理を示すフローチャートである。
【図７】Ｅメールの印刷処理の詳細を示すフローチャートである。
【図８】本発明の第２の実施の形態に係るメール本文にＰＤＬファイルのみを添付したＥメールの構成例を示す図である。
【符号の説明】
１０  スキャナ
１１  ＣＰＵ
１３  操作部
１６  インターフェイス
１７、７０  ＬＡＮ
１８、７１  ルータ
１９、２０、３０、４０、７２、７３  ＰＣ
３１  モデム
４１  データ通信用公衆電話機
５０  携帯電話機
６０  インターネット
８０  プリンタ
８１  ＣＰＵ
８６  インターフェイス
【図１】
2004342038.tif 000003
【図２】
2004342038.tif 000004
【図３】
2004342038.tif 000005
【図４】
2004342038.tif 000006
【図５】
2004342038.tif 000007
【図６】
2004342038.tif 000008
【図７】
2004342038.tif 000009
【図８】
2004342038.tif 000010